(57)【要約】【課題】操作杆を回転力の伝達を良好に保持しながら安全作業の範囲で伸長可能にする。【解決手段】基部筒体１及びこれに進退自在に挿入した先端筒体２と、基部筒体１に配した長さ固定手段３と、基部筒体１及び先端筒体２内に配した回転力伝達手段４とで構成する。長さ固定手段３は、先端筒体２の４個の係止孔３ａと、基部筒体１の固定孔３ｂと、先端筒体２を進退させ、係止孔３ａの一つと固定孔３ｂとを一致させ、両者に固定ピン部５ａを挿入して固定するピン挿脱手段５とで構成する。回転力伝達手段４は、角形駆動棒４ａと、これに摺動自在に外装する角形駆動筒４ｂと、これを先端筒体２内に回転自在に支持する棒用軸受４ｃと、角形駆動筒４ｂを先端筒体２内に回転及び進退自在に支持する筒用軸受４ｄと、角形駆動筒４ｂを基部筒体１内に回転自在に支持する筒用後部軸受４ｅとで構成する。【選択図】  図１
0003123389.tif 000002
【実用新案登録請求の範囲】
【請求項１】
剛性筒体と、その中空部に配した回転力伝達手段とからなり、該剛性筒体の先端部に該回転力伝達手段の先端側に結合する草刈回転刃を、外部途中にハンドル部を、後部に該回転力伝達手段の後端側に結合する回転駆動体を、それぞれ取り付けるように構成した草刈機の操作杆であって、
前記剛性筒体を、
基部筒体と、
該基部筒体に、後部を、周方向固定状態で、軸方向進退自在に挿入した先端筒体と、
で構成し、
更に、前記基部筒体及び前記先端筒体に、該基部筒体に対する該先端筒体の進退状態を適宜位置で固定する長さ固定手段を付設し、
前記回転力伝達手段を、
先端に草刈回転刃に結合する結合手段を配した角形駆動棒と、
該角形駆動棒を後端側からスライド自在に外装する角形駆動筒であって、その後端に前記回転駆動体に結合する結合手段を備えた角形駆動筒と、
前記先端筒体の中空部の前部側に固設した棒用軸受であって、前記角形駆動棒を該先端筒体の中心軸に沿って周方向回転自在に支持する棒用軸受と、
前記先端筒体の中空部の後部側に固設した筒用軸受であって、前記角形駆動筒を該先端筒体の中心軸に沿って周方向回転自在かつ軸方向スライド進退自在に支持する筒用軸受と、
前記基部筒体の中空部の後部側に固設した筒用後部軸受であって、前記角形駆動筒を該基部筒体の中心軸に沿って周方向回転自在に支持する筒用後部軸受と、
で構成した、草刈機の操作杆。
【請求項２】
前記長さ固定手段を、
前記先端筒体の後部周側に長さ方向に沿って開口した複数の係止孔と、
前記基部筒体の先端部に開口した固定孔と、
該先端筒体を進退させてその係止孔のいずれかと該基部筒体の固定孔とが一致した場合に、該基部筒体の外部から該固定孔及びこれと一致した係止孔に固定ピン部を挿入してその状態を固定するピン挿脱手段と、
で構成した請求項１の草刈機の操作杆。
【請求項３】
前記ピン挿脱手段を、
前記基部筒体の先端部に巻き付け固定した固定バンドと、
該固定バンドから立ち上げたブラケットと、
該ブラケットに起伏自在に軸着したシーソー形の操作片であって、前記固定ピン部を先端に備えた操作片と、
該操作片の後端と該基部筒体の外周との間に配したバネ部材と、
で構成した請求項２の草刈機の操作杆。
【考案の詳細な説明】
【技術分野】
【０００１】
本考案は、庭や土手、或いは果樹園内その他に生えている雑草類を刈るための草刈機の操作杆であって、雑草等を刈るための回転刃をその先端に、操作用のハンドル部を途中に、回転刃駆動用の回転駆動体を後部に、それぞれ取り付け、内部の中空部に該回転駆動体の回転駆動力を該回転刃に伝達するための回転力伝達手段を備えた草刈機の操作杆に関するものである。
【背景技術】
【０００２】
この種の草刈機を使用して、例えば、土手の雑草の刈り取りを行う際に、該土手の上部に立って刈り払いを行うと、上部の草を刈る場合には問題はないが、土手の側面の草を刈る場合には、特に下方になると、使用者が身体を普通に立てた姿勢では、操作杆の長さが不足し、先端の回転刃が届かず刈払が十分に行えないことがある。このような場合は、やむを得ないので、体を前に折って刈り払い作業を行う必要があり、このような不自然な姿勢では非常に疲れるばかりでなく、不安定になり危険性を伴うことにもなりかねない。或いは、足場から若干離れた位置の草を刈る必要があったり、途中に何らかの障害があって、離れた位置から刈り払い作業を行う必要がある場合もあり、このような場合も、その方向に身体を伸ばす等の不安定な姿勢で作業を行う必要があり、やはり危険性を伴う虞がある。
【０００３】
このような場合に、操作杆が、無理なく草刈作業ができる範囲で、伸張可能であれば、安全にその作業ができる筈であるが、現時点では、そのような提案はなされていない。
【０００４】
以上の趣旨とは異なるが、操作杆の伸縮が可能な刈払機に関する「刈払機の操作桿構造及び刈払機」（特許文献１）の提案がある。
これは、伸縮自在及び伸縮状態を維持可能に構成された剛性操作桿の内部に、後端に駆動源との連結部を有し、前記操作桿の最大伸張長さに加えて延長部長さを有するフレキシブルシャフトの先端方向が挿通させられ、該フレキシブルシャフトが前記操作桿の先端に設けられた刈刃に駆動上連繋させられてなる刈払機の操作桿構造である。
【０００５】
この操作桿構造によれば、操作桿は、その伸縮が可能なものであるが、基本的に短縮できるようにすることに目的があるものである。そのため操作桿は、伸張させた場合の長さを標準的な操作桿の長さに設定しておき、使用中は伸長状態に保持し、使用終了後には、これを短縮して車両の荷室への積み込み等を容易にするというように使用するものである。この操作桿構造は、このような目的には、一応有効であると云うことができるが、刈刃に回転駆動力を伝える伝達部材はフレキシブルシャフトであり、強い駆動力を伝達するには不十分であり、使用中に、操作桿の後部から露出する部分が振動する等の虞もあり、使い勝手が十分とも云えない。
【０００６】
【特許文献１】特開２００４−６５０７２号公報
【考案の開示】
【考案が解決しようとする課題】
【０００７】
本考案は、草刈機で雑草の刈り払いを行う場合に、標準的な長さでは不都合である種々の場合に、安全に操作可能な範囲で若干伸長することを可能とし、更に動力の伝達も良好に行うことが可能な草刈機の操作杆を提供することを解決の課題とする。
【課題を解決するための手段】
【０００８】
本考案の１は、剛性筒体と、その中空部に配した回転力伝達手段とからなり、該剛性筒体の先端部に該回転力伝達手段の先端側に結合する草刈回転刃を、外部途中にハンドル部を、後部に該回転力伝達手段の後端側に結合する回転駆動体を、それぞれ取り付けるように構成した草刈機の操作杆であって、
前記剛性筒体を、
基部筒体と、
該基部筒体に、後部を、周方向固定状態で、軸方向進退自在に挿入した先端筒体と、
で構成し、
更に、前記基部筒体及び前記先端筒体に、該基部筒体に対する該先端筒体の進退状態を適宜位置で固定する長さ固定手段を付設し、
前記回転力伝達手段を、
先端に草刈回転刃に結合する結合手段を配した角形駆動棒と、
該角形駆動棒を後端側からスライド自在に外装する角形駆動筒であって、その後端に前記回転駆動体に結合する結合手段を備えた角形駆動筒と、
前記先端筒体の中空部の前部側に固設した棒用軸受であって、前記角形駆動棒を該先端筒体の中心軸に沿って周方向回転自在に支持する棒用軸受と、
前記先端筒体の中空部の後部側に固設した筒用軸受であって、前記角形駆動筒を該先端筒体の中心軸に沿って周方向回転自在かつ軸方向スライド進退自在に支持する筒用軸受と、
前記基部筒体の中空部の後部側に固設した筒用後部軸受であって、前記角形駆動筒を該基部筒体の中心軸に沿って周方向回転自在に支持する筒用後部軸受と、
で構成した、草刈機の操作杆である。
【０００９】
本考案の２は、本考案の１の草刈機の操作杆に於いて、前記長さ固定手段を、前記先端筒体の後部周側に長さ方向に沿って開口した複数の係止孔と、前記基部筒体の先端部に開口した固定孔と、該先端筒体を進退させてその係止孔のいずれかと該基部筒体の固定孔とが一致した場合に、該基部筒体の外部から該固定孔及びこれと一致した係止孔に固定ピン部を挿入してその状態を固定するピン挿脱手段とで構成したものである。
【００１０】
本考案の３は、本考案の２の草刈機の操作杆に於いて、前記ピン挿脱手段を、前記基部筒体の先端部に巻き付け固定した固定バンドと、該固定バンドから立ち上げたブラケットと、該ブラケットに起伏自在に軸着したシーソー形の操作片であって、前記固定ピン部を先端に備えた操作片と、該操作片の後端と該基部筒体の外周との間に配したバネ部材と、で構成したものである。
【考案の効果】
【００１１】
本考案の１の草刈機の操作杆によれば、これを草刈機にセットして使用すると、庭や果樹園内その他の平地で雑草類を刈る場合は、通常、該操作杆の長さを標準的な長さ、即ち、伸長させない長さで、不都合なくその作業を行うことができる。土手の上部に立ってその側面下方の草を刈る場合、或いは何らかの理由で足場とするところから距離のある場所の草を刈る必要がある場合等、操作杆が標準的な長さのままでは草刈回転刃がそこまで届かないような場合には、前記先端筒体を前記基部筒体から可能な範囲で必要なだけ引き出し、長さ固定手段でその引き出し状態を固定すれば、その状態、即ち、操作杆の長さを伸長させた状態で、上記のような場合の草刈作業を安全に行うことができる。
【００１２】
なお、このように前記先端筒体を前記基部筒体から引き出すと、同時に、前記角形駆動棒が前記角形駆動筒から引き出され、これも同じ長さだけ長くなる。また該角形駆動棒は、該角形駆動筒に進退自在に挿入しているものであるため、可能な範囲で進退しても、該角形駆動筒からの回転力の伝達に不都合は生じない。強力な回転力の伝達が不都合なく行われうるものである。
【００１３】
本考案の２の草刈機の操作杆によれば、簡単な構成で、先端筒体の基部筒体に対する進退状態を確実に固定することができる。
【００１４】
本考案の３の草刈機の操作杆によれば、簡単な構成で、先端筒体の基部筒体に対する進退状態の固定又は固定解除を、スピーディかつ容易に行うことができる。
【考案を実施するための最良の形態】
【００１５】
考案を実施するための最良の形態を実施例に基づいて説明する。
【００１６】
この実施例の草刈機の操作杆は、図１〜図４に示すように、基本的に、基部筒体１及び先端筒体２で構成した剛性筒体と、該基部筒体１の先端側外周に構成した長さ固定手段３と、該基部筒体１及び該先端筒体２の中空部に構成した回転力伝達手段４とで構成したものである。
【００１７】
前記剛性筒体は、操作杆本体を構成するものであり、図５に示すように、これを組み込んで草刈機を構成する場合には、その先端部に前記回転力伝達手段の先端側に結合する草刈回転刃１１を、その外部途中にハンドル部１２を、後部に該回転力伝達手段の後端側に結合するエンジン（内燃機関：回転駆動体）１３を、それぞれ取り付ける。図示していない肩に掛けるベルト等も取り付ける。
【００１８】
剛性筒体を構成する基部筒体１及び先端筒体２は、いずれも軽量で必要な強度を有する金属パイプで構成し、該先端筒体２は、その後部を、軸方向進退自在に、該基部筒体１に、その先端側から挿入する。該先端筒体２は、該基部筒体１に対して周方向には固定されたものとする。これは、この機能を発揮できる限り種々の構成を自由に採用することができる。この実施例では、これは、該基部筒体１の内周に軸方向に沿ってキー溝を形成し、該先端筒体２の対応する外周に同様にキー溝を形成し、両キー溝にキーを挿入することにより、そのようにのみ動作するようにしたものである。これらのキー溝及びキーは煩雑になるため図示していない。
【００１９】
前記長さ固定手段３は、前記基部筒体１に対する前記先端筒体２の進退状態を適宜固定できるものであれば、特定の構成に限定されず、自由に採用することが可能である。この実施例では、これは、図１(a)〜(d)、図２(a)、(b)、図３(b)及び図４(b)、(c)に示すように、前記先端筒体２の後部周側に長さ方向に沿って開口した４個の係止孔３ａ、３ａ…と、前記基部筒体１の先端部に開口した固定孔３ｂと、該先端筒体２を進退させてその係止孔３ａ、３ａ…のいずれかと該基部筒体１の固定孔３ｂとが一致した場合に、該基部筒体１の外部から該固定孔３ｂ及びこれと一致した係止孔３ａに固定ピン部５ａを挿入してその状態を固定するピン挿脱手段５とで構成する。
【００２０】
また前記ピン挿脱手段５は、前記固定ピン部５ａを、必要に応じて、該基部筒体１の外部から、該固定孔３ｂ及びこれと一致した係止孔３ａに挿入して固定することができる物であれば、種々な構成を自由に採用することができる。この実施例では、図１(a)〜(d)、図２(a)、(b)、図３(b)及び図４(b)、(c)に示すように、該ピン挿脱手段５は、前記基部筒体１の先端部に巻き付け固定した固定バンド５ｂと、該固定バンド５ｂの両端部から立ち上げたブラケット５ｃ、５ｃと、該ブラケット５ｃ、５ｃに起伏自在に軸着したシーソー形の操作片５ｄと、該操作片５ｄの後端と該基部筒体１の外周との間に配したコイルバネ（バネ部材）５ｅとで構成したものである。なお、前記固定ピン部５ａは、図１(a)〜(d)、図２(a)、(b)、図３(b)及び図４(c)に示すように、前記操作片５ｄの前端に垂下状態に構成してある。
【００２１】
前記回転力伝達手段４は、図１(c)、(d)、図２(a)、(b)、図３(a)、(b)及び図４(a)〜(c)に示すように、角形駆動棒４ａと、該角形駆動棒４ａを後端側からスライド自在に外装する角形駆動筒４ｂと、前記角形駆動棒４ａを前記先端筒体２の前部側で中心軸に沿って周方向回転自在に支持する棒用軸受４ｃと、前記角形駆動筒４ｂを該先端筒体の後部側で中心軸に沿って周方向回転自在かつ軸方向スライド進退自在に支持する筒用軸受４ｄと、該角形駆動筒４ｂを前記基部筒体１の後部側で中心軸に沿って周方向回転自在に支持する筒用後部軸受４ｅとで構成したものである。
【００２２】
前記角形駆動棒４ａは、特に図４(a)〜(c)に示すように、断面正方形の金属棒材であり、その先端には、図１(a)〜(d)、図３(b)に示すように、前記草刈回転刃１１に回転力を伝達すべく結合するためのピニオン（結合手段）４ｆを固設してある。
【００２３】
前記角形駆動筒４ｂは、特に図４(b)、(c)に示すように、断面正方形筒形の金属筒体であり、その後端には、図１(a)〜(d)、図２(a)、(b)及び図３(b)に示すように、エンジン１３の回転駆動力を受け取るべく結合するためのピニオン（結合手段）４ｇを固設してある。また該角形駆動筒４ｂは、図１(c)、(d)、図２(a)、(b)、図３(b)及び図４(b)、(c)に示すように、前記角形駆動棒４ａの後部をその先端側から進退自在に挿入させてあるものである。該角形駆動筒４ｂと該角形駆動棒４ａとは、相互に緩みなく、しかしスムーズに進退できる寸法関係に構成する。
【００２４】
前記棒用軸受４ｃは、図１(a)〜(d)、図２(a)、(b)、図３(b)及び図４(a)に示すように、複数個が適宜間隔で前記先端筒体２の前部側中空部に固設してあり、それぞれは、図４(a)に示すように、その内レースの内側に配したブッシュ４ｃ１を介して前記角形駆動棒４ａを回転自在に支持する。該ブッシュ４ｃ１は、同図に示すように、中心に該角形駆動棒４ａの外形に一致する正方形の孔が形成してあり、この孔に該角形駆動棒４ａを挿入して固定している。
【００２５】
前記筒用軸受４ｄは、図１(c)、(d)、図２(a)、(b)、図３(b)及び図４(b)、(c)に示すように、複数個が適宜間隔で前記先端筒体２の後部側中空部に固設してあり、それぞれは、図４(b)、(c)に示すように、その内レースの内側に配したブッシュ４ｃ２を介して前記角形駆動筒４ｂを回転自在に支持する。該ブッシュ４ｃ２は、同図に示すように、中心に該角形駆動筒４ｂの外形にほぼ一致する正方形の孔が形成してあり、この孔に該角形駆動筒４ｂをスライド自在に挿入している。
【００２６】
前記筒用後部軸受４ｅは、図１(a)〜(d)、図２(a)、(b)及び図３(b)に示すように、前記基部筒体１の後部側中空部に固設してあり、それは、図４(d)に示すように、その内レースの内側に配したブッシュ４ｃ３を介して前記角形駆動筒４ｂを回転自在に支持する。該ブッシュ４ｃ３は、中心に該角形駆動筒４ｂの外形にほぼ一致する正方形の孔が形成してあり、この孔に該角形駆動筒４ｂを挿入して固定している。
【００２７】
従ってこの実施例の草刈機の操作杆によれば、前記操作片５ｄの後部側を前記基部筒体１と共に握ってその先端側の固定ピン部５ａを前記先端筒部２の該当する係止孔３ａから抜けば、該先端筒体２は、図１(a)、(c)、図２(a)及び図３(b)に示す該基部筒体１への最大進入状態から先端方向に引き出すことが可能になる。両端の係止孔３ａ、３ａの範囲で進退させるのが適当である。
【００２８】
該先端筒体２を最大限度引きだし、その最も後部側の係止孔３ａを該基部筒体１の固定孔３ｂに一致させた上で、前記操作片５ｄの握りを止めると、前記コイルバネ５ｅの作用で前記固定ピン部５ａは、図１(b)、(d)及び図２(bに示すように、該係止孔３ａに進入係止することになる。なお該先端筒体２の外周には目盛りを付しておき、それぞれが該基部筒体１の先端に一致した場合に該当する係止孔３ａと前記固定孔３ｂとが一致するようにしておくことにより、該先端筒体２の引き出し押し込み操作がスムーズに行える。
【００２９】
以上のように、先端筒体２を引き出し、或いは押し込んだ場合に、前記角形駆動棒４ａは、該先端筒体２の進退動作に伴って進退動作し、前記角形駆動筒４ｂ中を進退動作する。また該角形駆動筒４ｂは、該先端筒体２の進退動作に伴って、相対的に該先端筒体２中に進退動作することになるが、該先端筒体２の後部側に配した筒用軸受４ｄ、４ｄ…が該角形駆動筒４ｂのそのようなスライド動作を許容しつつ回転自在に支持する。
【００３０】
従ってこの実施例の草刈機の操作杆によれば、その先端筒体２を進退させてこれを伸縮させることは、容易に、かつ回転駆動力を確実に伝えつつ行うことができるものである。
【００３１】
それ故、の実施例の草刈機の操作杆によれば、これを組み込んで草刈機を構成すれば、庭や果樹園内その他の平地で雑草類を刈る場合は、通常、該操作杆の長さを標準的な長さ、即ち、伸長させない長さで、不都合なくその作業を行うことができる。土手の上部に立ってその側面下方の草を刈る場合、或いは何らかの理由で足場とするところから距離のある場所の草を刈る必要がある場合等、操作杆が標準的な長さのままでは草刈回転刃１１がそこまで届かないような場合には、前記先端筒体２を前記基部筒体１から可能な範囲で必要なだけ引き出し、長さ固定手段３でその引き出し状態を固定すれば、その状態、即ち、操作杆の長さを伸長させた状態で、上記のような場合の草刈作業を安全に行うことができる。
【図面の簡単な説明】
【００３２】
【図１】(a)は実施例の草刈機の操作杆の正面図、(b)は実施例の草刈機の操作杆を伸長させた状態の正面図、(c)は実施例の草刈機の操作杆の断面図、(d)は実施例の草刈機の操作杆を伸長させた状態の断面図。
【図２】(a)は実施例の草刈機の操作杆の後部側の一部切欠拡大断面図、(b)は実施例の草刈機の操作杆を伸長させた状態の後部側の一部切欠拡大断面図。
【図３】(a)はピニオンの端面図、(b)は実施例の草刈機の操作杆の拡大断面図。
【図４】(a)は図３のＡ−Ａ線拡大断面図、(b)は図３のＢ−Ｂ線拡大断面図、(c)は図３のＣ−Ｃ線拡大断面図、(d)は図３のＤ−Ｄ線拡大断面図。
【図５】実施例の草刈機の操作杆を組み込んで構成した草刈機の概略斜視図。
【符号の説明】
【００３３】
１    基部筒体
２    先端筒体
３    長さ固定手段
３ａ  係止孔
３ｂ  固定孔
４    回転力伝達手段
４ａ  角形駆動棒
４ｂ  角形駆動筒
４ｃ  棒用軸受
４ｃ１  棒用軸受に配したブッシュ
４ｃ２  筒用軸受に配したブッシュ
４ｃ３  筒用後部軸受に配したブッシュ
４ｄ  筒用軸受
４ｅ  筒用後部軸受
４ｆ  角形駆動棒の先端のピニオン（結合手段）
４ｇ  角形駆動筒の後端のピニオン（結合手段）
５    ピン挿脱手段
５ａ  固定ピン部
５ｂ  固定バンド
５ｃ  ブラケット
５ｄ  操作片
５ｅ  コイルバネ（バネ部材）
１１  草刈回転刃
１２  ハンドル部
１３    エンジン（内燃機関：回転駆動体）
【図１】
0003123389.tif 000003
【図２】
0003123389.tif 000004
【図３】
0003123389.tif 000005
【図４】
0003123389.tif 000006
【図５】
0003123389.tif 000007